(57)【要約】【課題】足置き部材と伸縮部材と足置き部で構成される筋肉トレーニング器において、足を掛ける部分に関し、足先を掛けて引く際に、足先でのズレを防げる引き易い構造とし、更に足の大きさの違いにも対応できる使い勝手の良い筋肉トレーニング器を提供することを課題とする。【解決手段】  上記課題を解決するために、本発明は上面に足置き部を有する足置き部材の任意の個所に、或る長さを有する紐状又は帯状又は鎖状の柔軟性と伸縮機能を有した伸縮部材の片側が取り付けられている。そして其処から或る距離を有した伸縮部材の他片側には足先を掛ける足掛け部が形成されており、該足掛け部の左右は共に直接又は間接に伸縮部材に繋属している。そして該足掛け部はその先端部分において、少なくとも長さ６ｃｍ以上に亘って、少なくとも５ｃｍ以上の幅の面を有しており、且つ柔軟性を有する部材で形成されていることを特徴とする筋肉トレーニング器を提供する。【選択図】図１
2009233301.tif 000002
【特許請求の範囲】
【請求項１】
上面に足を乗せる足置き部を有する足置き部材の任意の個所に、或る長さを有する紐状又は帯状又は鎖状の柔軟性と伸縮機能を有した伸縮部材の片側が取り付けられている。そして取り付け箇所から或る距離を有した伸縮部材の他片側には足先を掛ける足掛け部が形成されており、該足掛け部の左右は共に直接又は間接に伸縮部材に繋属している。そして該足掛け部はその先端部分において、少なくとも長さ６ｃｍ以上に亘って、少なくとも５ｃｍ以上の幅の面を有しており、且つ柔軟性を有する部材で形成されていることを特徴とする筋肉トレーニング器。
【請求項２】
足掛け部を形成する部材を繋ぎ部材又は伸縮部材から取り外す手段を有することを特徴とする請求項１に記載の筋肉トレーニング器。
【請求項３】
足掛け部を環の一部に形成し、更に該環の周長を５０ｃｍ以下に変更する手段を有することを特徴とする請求項１〜２のいずれかに記載の筋肉トレーニング器。
【請求項４】
足掛け部の左右両側の部材を纏め合わせ、其の外側周囲に取り付け位置を変更できる環状部材を取り付けて、足掛け部の環を形成する手段と環の周長を変更する手段としたことを特徴とする請求項３に記載の筋肉トレーニング器。
【請求項５】
環状部材をリング状のゴム材で形成したことを特徴とする請求項４に記載の筋肉トレーニング器。
【請求項６】
足掛け部を伸縮部材とは別の部材で形成したことを特徴とする請求項１〜５のいずれかに記載の筋肉トレーニング器。
【請求項７】
伸縮部材をゴム材で形成したことを特徴とする請求項１〜６のいずれかに記載の筋肉トレーニング器。
【請求項８】
足置き部よりも低い位置に足擦り面を形成したことを特徴とする請求項１〜７のいずれかに記載の筋肉トレーニング器。
【発明の詳細な説明】
【技術分野】
【０００１】  本発明は足腰の筋肉を鍛え、身体のスリム化を図るための筋肉トレーニング器に関する。
【背景技術】
【０００２】  本発明は、平成１８年３月６日に本発明出願人によって出願された出願番号（特願２００５−２５７０２１）の内容に関し更なる改良を成したので出願するものである。特願２００５−２５７０２１の筋肉トレーニング器では足を掛ける部分に関し、使う人の足に対するズレが考慮されておらず、又足の大きさの違いに対応しているものでは無く使い勝手が悪いものであった。
【発明が解決しようとする課題】
【０００３】  本発明においては前記出願の特願２００５−２５７０２１の筋肉トレーニング器において考慮されていなかった、足を掛ける部分に関し、足先を掛けて引いた際に、足先に対するズレを防ぐ引き易い構造とし、更に足の大きさの違いにも対応できる使い勝手の良い新たな筋肉トレーニング器を提供することを課題とする。
【課題を解決するための手段】
【０００４】  上記課題を解決する為、本発明は次ぎの如き筋肉トレーニング器を提供する。
１、上面に足を乗せる足置き部を有する足置き部材の任意の箇所に、或る長さを有する紐状又は帯状又は鎖状の柔軟性と伸縮機能を有した伸縮部材の片側が取り付けられている。そして取り付け箇所から或る距離を有した伸縮部材の他片側には足先を掛ける足掛け部が形成されており、該足掛け部の左右は共に直接又は間接に伸縮部材に繋属している。そして該足掛け部はその先端部分において、少なくとも長さ６ｃｍ以上に亘って、少なくとも５ｃｍ以上の幅の面を有しており、且つ柔軟性を有する部材で形成されていることを特徴とする筋肉トレーニング器。
２、足掛け部を形成する部材を繋ぎ部材又は伸縮部材から取り外す手段を有することを特徴とする上記第１項に記載の筋肉トレーニング器。
３、足掛け部を環の一部に形成し、更に該環の周長を５０ｃｍ以下に変更する手段を有することを特徴とする上記第１〜２項のいずれかに記載の筋肉トレーニング器。
４、足掛け部の左右両側の部材を纏め合わせ、其の外側に取り付け位置を変更できる環状部材を取り付けて、環を形成する手段と環の周長を変更する手段としたことを特徴とする上記第３項に記載の筋肉トレーニング器。
５、環状部材をリング状のゴム材で形成したことを特徴とする上記第４項に記載の筋肉トレーニング器。
６、足掛け部を伸縮部材とは別の部材で形成したことを特徴とする上記第１〜５項のいずれかに記載の筋肉トレーニング器。
７、伸縮部材をゴム材で形成したことを特徴とする上記第１〜６項のいずれかに記載の筋肉トレーニング器。
８、足置き部よりも低い位置に足擦り面を形成したことを特徴とする上記第１〜７項のいずれかに記載の筋肉トレーニング器。
【発明実施の形態】
【０００５】  以下、図面を参照しながら本発明の各種態様に係る筋肉トレーニング器に関して説明する。以下の説明は本発明の技術思想を具現化する幾つかの具体例を説明するものであり、本発明は以下の説明に限定されるものではない。
【０００６】  図１は本発明の一態様に係る筋肉トレーニング器の全体の形態を示す斜視図（ａ）と一部分の形態を示す平面図（ｂ）と斜視図（ｃ）と（ｄ）である。図１（ａ）の筋肉トレーニング器は上面に足を乗せる足置き部２を有する足置き部材１と足置き部材１の伸縮部材取り付け部１３に取り付けられた紐状の伸縮部材３とを有し、伸縮部材３の他片側の先方には足先を掛ける帯状の足掛け部４が形成されている。これを使用するには足置き部２に片足を乗せて立ち、他方の足先を足掛け部４に掛けて動かし、伸縮部材３を任意の方向に引き伸ばす。こうすると伸縮部材３が伸縮機能を有しているので、引き伸ばすことにより張力が生じ、足腰の筋肉に負荷を与えることができる。左右の足を交換することにより、他片側にも同様に負荷を与えることができ、左右の足腰の筋肉を鍛えることができる。
【０００７】  次ぎに各部分の詳細に就いて説明する。足置き部材１は足を乗せるための台座である。図１（ａ）では板状の部材で示されているが、形状は任意であり、足を乗せられる大きさを有していれば良い。実施上、縦横の寸法が其々１０ｃｍ以上で、高さは１０ｃｍ以下が好ましい。材質も任意である。実施上はプラスチック材又はアルミニウム材又は硬質のゴム材などが挙げられる。次ぎに足置き部材１の上面に形成されている足置き部２であるが、ここは足を乗せる箇所であり、足を乗せられる広さを有していれば良い。上面とは上側を向いた面と言うことを示し、階段状又は梯子状の下側であっても足を乗せることができる面を有していれば良い。形状は任意である。又、足置き部２は足置き部材１の一部分であるので、足置き部２を足置き部材１と云うことができる。次ぎに足置き部材１の伸縮部材取り付け部１３に取り付けられている伸縮部材３であるが、この伸縮部材３は或る長さを有した、紐状又は帯状又は鎖状の柔軟性と伸縮機能を有する部材で形成される。図１では伸縮部材取り付け部１３を棒状の部材で形成し、其処に紐状の伸縮部材３の端部を掛けた形態になっているが、伸縮部材取り付け部１３の形状は任意である。伸縮部材３は図１では上記条件を満たす部材として紐状の柔軟なゴム材を使用した形態を示している。取り付け位置及び取り付け方法は任意である。実施上、足を乗せるのに邪魔にならない箇所が好ましい。又、取り付け方法は他部材を介在させて足置き部材１に取り付けても構わない。又、柔軟性は構造で有していても材質で有していても構わない。更に伸縮機能は部材自体の材質により有していても、外部から付加されたものでも良い。付加されたものとは、例えば足置き部材１側に硬質の金属バネを取り付け、そこに或る長さと柔軟性を有する紐状又は帯状又は鎖状の部材を取り付けたような場合である。このような場合も柔軟性を有する、紐状、又は帯状又は鎖状の部材は伸縮機能を有するものと云える。実施上、伸縮部材３の寸法は太さが断面積で１ｃｍ２程度、長さは３０ｃｍ以上を有することが好ましい。次ぎに伸縮部材３の片側先方に形成された足掛け部４であるが、これは伸縮部材３を引き伸ばす際に足先を掛けるための箇所であり、伸縮部材３の片側先方に形成された、足先を掛ける箇所を云う。図１において足掛け部４は柔軟性を有する帯状部材で形成されており、其の左右が共に直接又は間接に伸縮部材３に繋属している。それにより先端部分１４に足を掛け引いた際に伸縮部材３の張力を左右均等に受けられる構造と成っている。先端部分１４とは、足を掛けて伸縮部材３引き伸ばした際の足掛け部４の最も先方に位置する部分を云い、特にこの先端部分１４が足先を掛けて引く際に最も力の掛かる箇所となる。この部分に就いてはここを展開して平面図（ｂ）で示しているが、この幅（図面上では足掛け部４の左右端部の伸縮部材２を結ぶ線と直交する方向）が狭いと、力を加えた際に、足の先から足首に至る範囲で局所的に力が掛かる為ズレや滑りを起し易く、力を足先全体に亘り平均して掛けることができないと云う不具合が生じるのである。本発明はこの不具合を解決する為に、足掛け部４の先端部分を、長さ６ｃｍ以上に亘って、少なくとも５���ｍ以上の幅の面を有するものとし、且つ柔軟性を有する部材を使用することで、面と柔軟性によって力を広く分散させ、ズレや滑りを防止できる様にするものである。実施上、足掛け部４の幅は１０ｃｍ程度、長さは１５ｃｍ以上で厚みは５ｍｍ以内が好ましい。孔を有していても構わない。孔を有する場合、幅は孔を含んだ寸法となる。形状は任意であり、図１では帯状の形状で示しているが、縦横がほぼ同じ寸法のシート状の部材でも良く、又其の他の形状でも良い。アニメのキャラクターの形や動物の形なども選択できる。材質も任意であり柔軟性を有していれば硬質部材と軟質部材を複合させたものでも良い。実施上は、皮材又は布材又は柔らかいプラスチック材又ビニール材又は薄いゴム板材などが好ましい。又、足掛け部４は伸縮部材３と同一部材で形成しても良く、又異なる部材で形成して伸縮部材３に繋属させた構造でも良い。図（ｃ）で示す様に板状の部材を伸縮部材３と足掛け部４の間に介在させても良く、又、図（ｄ）で示す様に伸縮部材３に紐状の部材を取り付け、そこに足掛け部４配置し環状に形成しても良い。これらの伸縮部材３と足掛け部４との間に介在し、且つ足を掛けない部材を繋ぎ部材５と云う。伸縮性を有しない繋ぎ部材５を足掛け部４の左右に取り付けた場合、足掛け部４の左右は繋ぎ部材５を介して伸縮部材３に間接に繋属していると云う。この様に間接に繋属しても図（ｃ）と（ｄ）から判る様に、伸縮部材３の張力を足掛け部４の左右に均等に掛けることができる。実施上、繋ぎ部材５を足掛け部４と伸縮部材３の間に複数介在させても構わない。又、繋ぎ部材５を、伸縮部材３と同一部材で形成した場合には繋ぎ部材５は伸縮部材３の一部となる。本発明では上記に規定した寸法以上を有し、且つ柔軟性を有する部材で形成され、且つその左右が直接又は間接に伸縮部材に繋属し、且つ足を掛けて使用できる部材は全て足掛け部４とすることができる。因って、伸縮部材３及び繋ぎ部材５も上記条件を満たせば足掛け部４とすることができる。
【０００８】  図２は本発明の一態様に係る筋肉トレーニング器の形態の一部分を示す斜視図（ａ）と平面図（ｂ）である。図２は足掛け部４の表面に突起６を対向させて、それを左右に振り分けて形成し、板状の繋ぎ部材５を該突起６間に嵌合させて、取り付け又は取り外しができる様にした図である。この様にすると使用する際、足の大きさに対応して足掛け部４を交換することができる。実施上、足掛け部４と伸縮部材３又は繋ぎ部材５との接続方法は任意であり、多種の方法が有るが、方法は経験的に決定されて良い。
【０００９】  図３は本発明の一態様に係る筋肉トレーニング器の形態の一部分を示す平面図（ａ）と断面図（ｂ）である。図（ａ）は足掛け部４の内側の面、即ち足先が接触する面の中央部辺りと其の上下部分の面とを摩擦係数の異なる材質の部材で形成した図である。本態様では中央部７が其の上下部分に比べ摩擦係数の小さな部材で形成されている。は図（ｂ）はその断面図であり中央部が上下に比べ少し内側に突出している。この様にすることで使用する際、通常最も力の掛かる中央部に接触する足の皮膚を摩擦から守ることができ、足掛け部の中で足を回転させる際にもスムーズに行うことができる。中央に比して上下に摩擦係数の大きな部材を配置しているのは滑りを止めたい際に、足を上又は下の面に圧着させることにより過度の滑りを防ぐことができるからである。又、本態様において摩擦係数の大小の選択は材質面及び構造面から選択できる。材質面ではゴム材とフッ素樹脂などの対比、構造面では平面と孔と突起などの対比である。寸法を含めこれらの選択は経験的に決定されて良い。
【００１０】  図４は本発明の一態様に係る筋肉トレーニング器の形態の一部分を示す斜視図である。図４は足掛け部４の左右両側に紐状の繋ぎ部材５を取り付けて環状を形成し、それに伸縮部材３の先端を湾曲させて接続した図である。更に繋ぎ部材５は伸縮部材３と交叉した左右を纏め合わされ、其の外側に伸縮性を有するリング状のゴム材８が取り付けられている。この構造において、リング状のゴム材８を動かすことで周長を５０ｃｍ以下とすることができ、更に其の範囲で自在に変化させることができる。周長を変化させることで、使う人が変っても、即、足の大きさに対応して周長を変更できるので、足の大きさに拘わらず、使う人に適する環を作ることができ、足掛け部４の締まり過ぎや過度の弛みに因る足からの外れを防ぐことができるのである。図４では環の形成を足掛け部４と繋ぎ部材５で成しているが、リング状の環状部材で纏め合わせて形成する環は、足掛け部４を形成する部材だけで成しても良いし、又は足掛け部４と伸縮部材３とで形成しても良い。請求項４には足掛け部の両側の部材と記しているが、これは足掛け部４を形成する部材又は繋ぎ部材５又は伸縮部材３を示すものである。
【００１１】  図５は本発明の一態様に係る筋肉トレーニング器の形態を示す平面図（ａ）と側面図（ｂ）と断面図（ｃ）である。図５に示す筋肉トレーニング器は足置き部２が床面９から或る高さを有して形成されている。そして其の脇の足置き部２より低い位置に、或る広さの面を有する足擦り面１０が形成されている。伸縮部材３は足置き部材１の裏側に取り付けられており、足置き部材１の中央に形成された孔１１から外側に引き出されている。其の先方に足掛け部４が形成されている。又、足置き部材１の裏側には、取り付けられた伸縮部材３の方向を変換するための方向変換部１２が形成されている。本態様での要件は足置き部２が足擦り面１０よりも高い位置に形成されていることである。この構造により、足置き部２に片足を乗せ、もう一方の足を足掛け部４に掛けて足を動かす際、この足摺り面１０の伸長する方向に沿って足を動かすと足先を直に床に触れさせること無く動かせるので、足先で床面を擦って床面を痛めること無く使用することができる。又、足擦り面１０の表面を滑り易い部材で形成すれば足先がスムーズに滑り、足先を痛めることも防げる。本態様において足置き部材２を高い位置に形成するのは、片足を置き、もう一方の足に足掛け部材４を掛けて動かす際に動かす足の爪先を下に伸ばしても、爪先が床に触れるのを防ぐためである。実施上、足置き部４は足擦り面１０よりも５ｃｍ以上、上側に形成されていることが好ましい。足擦り］面１０の形状は任意である。実施上、幅が１０ｃｍ程度、長さは３０ｃｍ以上で平らな面を有しており、高さ床面から２ｃｍ以内程度が好ましい。材質も任意であるが、実施上、足置き部材１と同じ材質で良いが、其の他の材質、例えばシート状の薄い部材などでも構わない。又、取り外しが可能な構造にしても良い。形状及び材質は経験的に決定されて良い。又、本態様において足置き部材１の裏側に棒状の方向変換部１２を形成しているが、この方向変換部１２は伸縮部材３をこの側面に宛がい伸縮部材３の引き張る方向を変換するものである。この方向変換部１２に宛がった伸縮部材３の摩擦を減らす為に方向変換部１２に回転ローラーを取り付けても良い。又、孔１１に回転ローラーを取り付けても良い。又、本態様の筋肉トレーニング器を折り畳みができる構造にしても良い。
【００１２】  上記において、本発明の筋肉トレーニング器の各部の好ましい形状及び寸法及び材質に就いて説明したが、上記説明に限定されること無く、形状、寸法、材質、は適宜経験的に決定できる。
【発明の効果】
【００１３】  本発明に係る筋肉トレーニング器に依れば、足を掛ける部分に関し、足先を掛けて引いた際に、足先でのズレが防がれて引き易くなり、更に足の大きさの違いにも対応できる使い勝手の良い筋肉トレーニングとなった。
【図面の簡単な説明】
【図１】  本発明の一態様に係る筋肉トレーニング器の形態を示す斜視図（ａ）と一部分の形態を示す平面図（ｂ）と斜視図（ｃ）と（ｄ）である。
【図２】  本発明の一態様に係る筋肉トレーニング器の形態の一部分を示す斜視図（ａ）と平面図（ｂ）である。
【図３】  本発明の一態様に係る筋肉トレーニング器の形態の一部分を示す平面図（ａ）と断面図（ｂ）である。
【図４】  本発明の一態様に係る筋肉トレーニング器の形態の一部分を示す斜視図である。
【図５】  本発明の一態様に係る筋肉トレーニング器の形態を示す平面図（ａ）と側面図（ｂ）と断面図（ｃ）である。
【符号の説明】
１、足置き部材
２、足置き部
３、伸縮部材
４、足掛け部
５、繋ぎ部
６、突起
７、中央部
８、リング状のゴム材
９、床面
１０、足擦り面
１１、孔
１２、方向変換部
１３、伸縮部材取り付け部
１４、先端部分
【図１】
2009233301.tif 000003
【図２】
2009233301.tif 000004
【図３】
2009233301.tif 000005
【図４】
2009233301.tif 000006
【図５】
2009233301.tif 000007